(57)【特許請求の範囲】
【請求項１】
ユーザ機器（ＵＥ）により実行されるＴＤＤ（ｔｉｍｅ  ｄｉｖｉｓｉｏｎ  ｄｕｐｌｅｘ）無線通信システムにおけるＨＡＲＱ（ｈｙｂｒｉｄ  ａｕｔｏｍａｔｉｃ  ｒｅｐｅａｔ  ｒｅｑｕｅｓｔ）のＡＣＫ／ＮＡＣＫ信号を送信するための無線リソースを決定する方法であって、
前記方法は、
第１のサブフレームで第１のダウンリンク割当を受信することと、
第２のサブフレームで第２のダウンリンク割当を受信することと、
前記第１のサブフレームでダウンリンク共有チャネル上で第１のダウンリンクデータを受信することであって、前記ダウンリンク共有チャネルは、前記第１のダウンリンク割当によって割り当てられる、ことと、
前記第２のサブフレームで前記ダウンリンク共有チャネル上で第２のダウンリンクデータを受信することであって、前記ダウンリンク共有チャネルは、前記第２のダウンリンク割当によって割り当てられる、ことと、
アップリンクサブフレームにおいて前記第１のダウンリンクデータ及び前記第２のダウンリンクデータに対する複数のＡＣＫ／ＮＡＣＫリソースを決定することであって、前記複数のＡＣＫ／ＮＡＣＫリソースは、前記アップリンクサブフレームと関連付けられたリンクされたダウンリンクサブフレームの個数と、ＣＣＥ（ｃｏｎｔｒｏｌ  ｃｈａｎｎｅｌ  ｅｌｅｍｅｎｔ）とに基づいて決定され、前記ＣＣＥは、前記リンクされたダウンリンクサブフレームのうちの少なくとも１つに対して用いられ、かつ、前記第１のダウンリンク割当及び前記第２のダウンリンク割当のうちの少なくとも１つの送信のために用いられ、前記リンクされたダウンリンクサブフレームは、前記第１のダウンリンクサブフレームと前記第２のダウンリンクサブフレームとを含む、ことと
を含み、
前記複数のＡＣＫ／ＮＡＣＫリソースの中の個々のＡＣＫ／ＮＡＣＫリソースは、前記個々のＡＣＫ／ＮＡＣＫリソースにマッピングされる前記ＣＣＥのＣＣＥインデックスにより、および、前記個々のＡＣＫ／ＮＡＣＫリソースにマッピングされる前記ＣＣＥを運ぶダウンリンクサブフレームのダウンリンクサブフレームインデックスにより決定される、方法。
【請求項２】
前記ＡＣＫ／ＮＡＣＫ信号は、アップリンク制御チャネル上で送信される、請求項１に記載の方法。
【請求項３】
前記アップリンク制御チャネルは、ＰＵＣＣＨ（ｐｈｙｓｉｃａｌ  ｕｐｌｉｎｋ  ｃｏｎｔｒｏｌ  ｃｈａｎｎｅｌ）である、請求項２に記載の方法。
【請求項４】
前記ダウンリンク共有チャネルは、ＰＤＳＣＨ（ｐｈｙｓｉｃａｌ  ｄｏｗｎｌｉｎｋ
ｓｈａｒｅｄ  ｃｈａｎｎｅｌ）である、請求項１に記載の方法。
【請求項５】
前記第１のダウンリンク割当及び前記第２のダウンリンク割当は、ＰＤＣＣＨ（ｐｈｙｓｉｃａｌ  ｄｏｗｎｌｉｎｋ  ｃｏｎｔｒｏｌ  ｃｈａｎｎｅｌ）を介して受信される、請求項１に記載の方法。
【請求項６】
前記アップリンクサブフレームと関連付けられた前記リンクされたダウンリンクサブフレームは、構成情報に基づいて決定される、請求項１に記載の方法。
【発明の詳細な説明】
【技術分野】
【０００１】
本発明は、無線通信に関し、より詳しくは、無線通信システムにおけるＨＡＲＱを実行する方法に関する。
【背景技術】
【０００２】
次世代移動通信システムは、以前世代の移動通信システムのように単純な無線通信サービスに留まらず、有線通信ネットワーク及び無線通信ネットワークとの効率的連動及び統合サービスを目標として標準化されている。このように、音声中心のサービスを超えて映像、無線データなどの多様な情報を処理して送信できる高速大容量通信システムが要求されることによって、無線通信ネットワークに有線通信ネットワークの容量（ｃａｐａｃｉｔｙ）に近接する大容量データを送信できる技術開発が要求されている。従って、情報損失の減少を最小化し、システム送信効率を上げることによってシステム性能を向上させることができる適当なエラー検出方式が必須な要素となった。
【０００３】
エラー処理方式の例として、ＦＥＣ（ｆｏｒｗａｒｄ  ｅｒｒｏｒ  ｃｏｒｒｅｃｔｉｏｎ）方式及びＡＲＱ（ａｕｔｏｍａｔｉｃ  ｒｅｐｅａｔ  ｒｅｑｕｅｓｔ）方式がある。ＦＥＣ方式で、受信機は余分のエラー訂正コードを付加された情報ビットからエラーを訂正する。ＡＲＱ方式で、受信信号にエラーが発生すれば、送信機がデータを再送信してエラーを訂正する。ＨＡＲＱ（Ｈｙｂｒｉｄ  ＡＲＱ）方式は、ＦＥＣ方式とＡＲＱ方式を結合したものである。ＨＡＲＱ方式によれば、物理階層で受信されたデータがデコーディングされないエラーがあるか否かを確認した後、エラーがある場合、再送信を要請して性能を向上させる。
【０００４】
ＨＡＲＱ動作は、端末または基地局に含まれる少なくとも一つのＨＡＲＱエンティティ（ｅｎｔｉｔｙ）により実行される。ＨＡＲＱエンティティは、以前データ受信の成功的（ＡＣＫ信号）または非成功的（ＮＡＣＫ信号）フィードバックを待機する中に、連続的なデータ送信を可能にする。ダウンリンク送信で、端末は、基地局からリソース割当情報を受信し、基地局のＨＡＲＱエンティティは、ＨＡＲＱ情報にともなうＨＡＲＱプロセスを実行する。ＨＡＲＱエンティティをサポートするために、基地局は、複数の並行するＨＡＲＱプロセスを動作させることができる。
【０００５】
以下、ダウンリンクは、基地局から端末への通信を意味し、アップリンクは、端末から基地局への通信を意味する。ダウンリンク通信及びＨＡＲＱ動作は、次の通り実行されることができる。基地局は、端末にＰＤＣＣＨ（ｐｈｙｓｉｃａｌ  ｄｏｗｎｌｉｎｋ  ｃｏｎｔｒｏｌ  ｃｈａｎｎｅｌ）を介してダウンリンク割当を送る。ダウンリンク割り当てに従って、端末は、基地局にＰＤＳＣＨ（ｐｈｙｓｉｃａｌ  ｄｏｗｎｌｉｎｋ  ｓｈａｒｅｄ  ｃｈａｎｎｅｌ）を介してダウンリンクデータを受信する。端末が基地局からダウンリンクデータを受けた時、端末は、基地局に制御チャネル（例えば、ＰＵＣＣＨ（ｐｈｙｓｉｃａｌ  ｕｐｌｉｎｋ  ｃｏｎｔｒｏｌ  ｃｈａｎｎｅｌ））を介してＡＣＫ／ＮＡＣＫ信号を送る。受信されたデータにエラーがない場合、ＡＣＫ／ＮＡＣＫ信号はＡＣＫ信号となる。受信されたデータにエラーが検出される場合、ＡＣＫ／ＮＡＣＫ信号はＮＡＣＫ信号となる。基地局は、ＮＡＣＫ信号を受ければ、端末にデータを再送信する。以下、ダウンリンクデータは、コードワードまたは送信ブロック（ｔｒａｎｓｐｏｒｔ  ｂｌｏｃｋ）と呼ばれることができる。
【０００６】
周波数、時間、コード及び空間のようなリソースは、ダウンリンク送信とアップリンク送信との間に区別されなければならなず、従って、ダウンリンクリソースとアップリンクリソースとは重複しないことが必要である。これをデュプレキシング（ｄｕｐｌｅｘｉｎｇ）という。デュプレキシングは、アップリンクとダウンリンクとが周波数により区分されるＦＤＤ（ｆｒｅｑｕｅｎｃｙ  ｄｉｖｉｓｉｏｎ  ｄｕｐｌｅｘｉｎｇ）、及びアップリンクとダウンリンクとが時間により区分されるＴＤＤ（ｔｉｍｅ  ｄｉｖｉｓｉｏｎ  ｄｕｐｌｅｘｉｎｇ）に分けることができる。
【０００７】
ＦＤＤにおいて、周波数は、アップリンク及びダウンリンクに対称的に割り当てられる。ＦＤＤは、対称的サービス（例えば、音声通話）に適する構造であるため広く使われる。しかし、最近、非対称的サービス（例えば、インターネットサービス）に適するＴＤＤに対して研究が活発に進行している。ＦＤＤにおいて、アップリンク及びダウンリンクは、周波数領域で区分されるため、時間領域で基地局と端末との間にシームレス（ｓｅａｍｌｅｓｓ）データ送信が可能である。
【０００８】
ＴＤＤは、アップリンク及びダウンリンクに相異する比率を有するタイムスロット（ｔｉｍｅ  ｓｌｏｔ）が割り当てられることができるため、非対称サービスに適する。さらに、アップリンク及びダウンリンクが同じ周波数バンドで行われ、アップリンク及びダウンリンクのチャネル状態がほぼ同一である。そのため、チャネル状態は、受信信号から直ちに推定されることができる。従って、ＴＤＤは、アレイアンテナ技術に適する。
【０００９】
ＴＤＤにおいて、全体周波数バンドがアップリンク及びダウンリンクに使われ、アップリンク及びダウンリンクは、時間領域で区分される。従って、周波数バンドがある時点にはアップリンクとして使われ、他の時点にはダウンリンクとして使われるため、基地局と端末との間に同時データ送受信は難しい。もし、アップリンク及びダウンリンクがある期間中に選択的に割り当てられれば、基地局は、どの時点がアップリンク送信であるか、或いはダウンリンク送信であるかを知らせる必要がない。
【００１０】
ＴＤＤだけでなく、ＦＤＤにおいて、アップリンクリソースは、ダウンリンクリソースより制限的である。ダウンリンクデータ受信に対するアップリンクフィードバックのためのアップリンクリソースも十分でない。例えば、ダウンリンクデータに対して４個のリソースブロック（ｒｅｓｏｕｒｃｅ  ｂｌｏｃｋ）が使われ、アップリンク送信に一つのリソースブロックが使われると仮定する。もし、端末が基地局から４個のリソースブロックを利用してデータを受信すれば、前記データに対するＡＣＫ／ＮＡＣＫ信号を１個のリソースブロックを介して送信する。アップリンクリソースの不足は、ＨＡＲＱ実行を困難にし、基地局は、新たなデータまたは既存データの再送信を足りないアップリンクフィードバック情報を介して決定しなければならない。
【００１１】
アップリンクフィードバックに対して制限されたアップリンクリソースを利用して效率的にＨＡＲＱを実行することができる方法が必要である。
【発明の概要】
【発明が解決しようとする課題】
【００１２】
本発明は、無線通信システムにおけるＨＡＲＱ実行方法を提供する。また、ＦＤＤモードだけでなく、ＴＤＤモードにおけるダウンリンク割当のためのＣＣＥインデックスと関連付けられているアップリンクＡＣＫ／ＮＡＣＫリソース割当方法は、アップリンクＰＵＣＣＨリソースの効率的活用、及びＦＤＤとＴＤＤとの間の共通性を提供できる。
【課題を解決するための手段】
【００１３】
本発明にともなう一態様において、端末により実行される無線通信システムにおけるＨＡＲＱ（ｈｙｂｒｉｄ  ａｕｔｏｍａｔｉｃ  ｒｅｐｅａｔ  ｒｅｑｕｅｓｔ）を実行する方法が提供される。前記方法は、第１のサブフレームでダウンリンク割当を受信し、前記ダウンリンク割り当ては、論理的にインデックスが付けられたリソース単位（ｒｅｓｏｕｒｃｅ  ｕｎｉｔ）であるＣＣＥ（ｃｏｎｔｒｏｌ  ｃｈａｎｎｅｌ  ｅｌｅｍｅｎｔ）に基づいて送信され、前記第１のサブフレームでダウンリンク共有チャネル（ｄｏｗｎｌｉｎｋ  ｓｈａｒｅｄ  ｃｈａｎｎｅｌ）上にダウンリンクデータを受信し、前記ダウンリンク共有チャネルは、前記ダウンリンク割り当てによって割り当てられ、前記ダウンリンクデータの成功的または非成功的受信を示すＡＣＫ／ＮＡＣＫ信号を生成し、及び第２のサブフレームで副集合（ｓｕｂｓｅｔ）のアップリンクリソースを利用して前記ＡＣＫ／ＮＡＣＫ信号または代表ＡＣＫ／ＮＡＣＫ信号を送信することを含み、前記副集合は、前記第１のサブフレームにマッピングされ、前記アップリンクリソースのうち一つは、前記第１のサブフレーム内の複数のＣＣＥにマッピングされる。
【００１４】
本発明にともなう他の様態において、端末により実行される無線通信システムにおけるＡＣＫ／ＮＡＣＫ信号を送信する方法が提供される。前記方法は、第１のサブフレームでダウンリンク割り当てによってダウンリンクデータ受信し、前記ダウンリンク割り当ては、論理的リソース単位（ｒｅｓｏｕｒｃｅ  ｕｎｉｔ）であるＣＣＥに送信され、前記ダウンリンクデータの成功的または非成功的受信を示すＡＣＫ／ＮＡＣＫ信号を生成し、及び第２のサブフレームでアップリンクリソースを利用して前記ＡＣＫ／ＮＡＣＫ信号を送信することを含み、前記第２のサブフレームは、ＨＡＲＱ動作のために第１のサブフレームとリンクされ、前記アップリンクリソースは、前記第１のサブフレーム内の複数のＣＣＥにマッピングされる。
本発明は、例えば、以下の項目も提供する。
（項目１）
端末により実行される無線通信システムにおけるＨＡＲＱ（ｈｙｂｒｉｄ  ａｕｔｏｍａｔｉｃ  ｒｅｐｅａｔ  ｒｅｑｕｅｓｔ）を実行する方法において、
第１のサブフレームでダウンリンク割当を受信し、前記ダウンリンク割り当ては、論理的にインデックスが付けられたリソース単位（ｒｅｓｏｕｒｃｅ  ｕｎｉｔ）であるＣＣＥ（ｃｏｎｔｒｏｌ  ｃｈａｎｎｅｌ  ｅｌｅｍｅｎｔ）に基づいて送信され、
前記第１のサブフレームでダウンリンク共有チャネル（ｄｏｗｎｌｉｎｋ  ｓｈａｒｅｄ  ｃｈａｎｎｅｌ）上にダウンリンクデータを受信し、前記ダウンリンク共有チャネルは、前記ダウンリンク割り当てによって割り当てられ、
前記ダウンリンクデータの成功的または非成功的受信を示すＡＣＫ／ＮＡＣＫ信号を生成し、及び
第２のサブフレームで副集合（ｓｕｂｓｅｔ）のアップリンクリソースを利用して前記ＡＣＫ／ＮＡＣＫ信号または代表ＡＣＫ／ＮＡＣＫ信号を送信することを含み、前記副集合は、前記第１のサブフレームにマッピングされ、前記アップリンクリソースのうち一つは、前記第１のサブフレーム内の複数のＣＣＥにマッピングされる方法。
（項目２）
前記第２のサブフレームは、前記ＡＣＫ／ＮＡＣＫ信号送信のために前記第１のサブフレームとリンクされる項目１に記載の方法。
（項目３）
前記第１のサブフレームは、ＴＤＤ（ｔｉｍｅ  ｄｉｖｉｓｉｏｎ  ｄｕｐｌｅｘ）システムで複数のダウンリンクサブフレームである項目１に記載の方法。
（項目４）
前記第２のサブフレームは、ＴＤＤシステムで一つのアップリンクサブフレームである項目１に記載の方法。
（項目５）
副集合の個数は、第１のサブフレームの個数により決定される項目１に記載の方法。
（項目６）
前記第１のサブフレーム内の複数のＣＣＥの個数は、前記副集合内のアップリンクリソースの個数より多い項目１に記載の方法。
（項目７）
前記複数のＣＣＥは、同じインデックスを有する項目１に記載の方法。
（項目８）
前記ＡＣＫ／ＮＡＣＫ信号は、アップリンク制御チャネル上に送信される項目１に記載の方法。
（項目９）
前記アップリンク制御チャネルは、ＰＵＣＣＨ（ｐｈｙｓｉｃａｌ  ｕｐｌｉｎｋ  ｃｏｎｔｒｏｌ  ｃｈａｎｎｅｌ）である項目８に記載の方法。
（項目１０）
前記ダウンリンク共有チャネルは、ＰＤＳＣＨ（ｐｈｙｓｉｃａｌ  ｄｏｗｎｌｉｎｋ
ｓｈａｒｅｄ  ｃｈａｎｎｅｌ）である項目１に記載の方法。
（項目１１）
端末により実行される無線通信システムにおけるＡＣＫ／ＮＡＣＫ信号を送信する方法において、
第１のサブフレームでダウンリンク割り当てによってダウンリンクデータ受信し、前記ダウンリンク割り当ては、論理的リソース単位（ｒｅｓｏｕｒｃｅ  ｕｎｉｔ）であるＣＣＥに送信され、
前記ダウンリンクデータの成功的または非成功的受信を示すＡＣＫ／ＮＡＣＫ信号を生成し、及び
第２のサブフレームでアップリンクリソースを利用して前記ＡＣＫ／ＮＡＣＫ信号を送信することを含み、前記第２のサブフレームは、ＨＡＲＱ動作のために第１のサブフレームとリンクされ、前記アップリンクリソースは、前記第１のサブフレーム内の複数のＣＣＥにマッピングされる方法。
（項目１２）
前記第２のサブフレームでアップリンクリソースを複数の副集合に分けることをさらに含み、前記アップリンクリソースは、前記複数の副集合のうち一つに属し、前記一つの副集合は、前記第１のサブフレームにマッピングされる項目１１に記載の方法。
（項目１３）
前記第１のサブフレームは、複数のダウンリンクサブフレームであり、副集合の個数は、複数のダウンリンクサブフレームの個数と同じである項目１１に記載の方法。
【発明の効果】
【００１５】
予約されたＡＣＫ／ＮＡＣＫリソースの量が半静的に（ｓｅｍｉ−ｓｔａｔｉｃａｌｌｙ）設定されることができる。アップリンクフィードバックのための制限されたリソースがＨＡＲＱ動作をサポートするために效率的に使われることができる。
【図面の簡単な説明】
【００１６】
【図１】無線通信システムを示す。
【図２】無線フレーム構造の一例である。
【図３】無線フレーム構造の他の例である。
【図４】ダウンリンクサブフレーム構造の一例である。
【図５】アップリンクサブフレームの構造の一例である。
【図６】本発明の一実施例に係るＡＣＫ／ＮＡＣＫリソースグルーピング方法を示す。
【図７】本発明の一実施例に係るＣＣＥのＡＣＫ／ＮＡＣＫリソースへのマッピング方法を示す。
【図８】本発明の他の実施例に係るＣＣＥのＡＣＫ／ＮＡＣＫリソースへのマッピング方法を示す。
【図９】本発明の他の実施例に係るＣＣＥのＡＣＫ／ＮＡＣＫリソースへのマッピング方法を示す。
【図１０】本発明の一実施例に係るＡＣＫ／ＮＡＣＫ信号送信を示すフローチャートである。
【発明を実施するための形態】
【００１７】
本発明は、例示的実施例を示す図面を参照して一層詳細に記述される。しかし、本発明は、他の形態で具現されることができ、本実施例に限定されない。以下の実施例は、当業者が本発明を全部完全に実施できるように提供される。図面において、階層の厚さや領域は、明確性のために誇張されることができる。同じ図面符号は同じ要素を示す。
【００１８】
図１は、無線通信システムを示す。無線通信システムは、音声、パケットデータなどのような多様な通信サービスを提供するために広く配置される。
【００１９】
図１を参照すれば、無線通信システムは、基地局（１０；Ｂａｓｅ  Ｓｔａｔｉｏｎ、ＢＳ）及び端末（２０；Ｕｓｅｒ  Ｅｑｕｉｐｍｅｎｔ、ＵＥ）を含む。基地局（１０）は、一般的に端末（２０）と通信する固定局（ｆｉｘｅｄ  ｓｔａｔｉｏｎ）をいい、ノードＢ（Ｎｏｄｅ−Ｂ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。一つの基地局（１０）には一つ以上のセルが存在できる。端末（２０）は、固定されたり、移動性を有したりすることができ、ＭＳ（Ｍｏｂｉｌｅ  Ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）等、他の用語で呼ばれることができる。
【００２０】
以下、ダウンリンク（ｄｏｗｎｌｉｎｋ）は、基地局（２０）から端末（１０）への通信を意味し、アップリンク（ｕｐｌｉｎｋ）は、端末（１０）から基地局（２０）への通信を意味する。ダウンリンクにおいて、送信機は基地局（２０）の一部であり、受信機は端末（１０）の一部である。アップリンクにおいて、送信機は端末（１０）の一部であり、受信機は基地局（２０）の一部である。
【００２１】
ダウンリンク及びアップリンク送信のための多重接続方式は異なることができる。例えば、ダウンリンクは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を使用し、アップリンクは、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）を使用することができる。
【００２２】
無線通信システムに適用される多重接続方式には制限がない。ＣＤＭＡ（Ｃｏｄｅ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ−Ｃａｒｒｉｅｒ  ＦＤＭＡ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）または公知の他の変調技術等のような多重接続技法に基づくことができる。これらの変調技法は、通信システムの多重ユーザから受信された信号を復調して通信システムの容量を増加させる。
【００２３】
端末とネットワークとの間の無線インターフェースプロトコル（ｒａｄｉｏ  ｉｎｔｅｒｆａｃｅ  ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）モデルの下位３個階層に基づき、第１の階層（Ｌ１）、第２の階層（Ｌ２）、第３の階層（Ｌ３）に区分されることができる。このうち、第１の階層に属する物理階層は、物理チャネル（ｐｈｙｓｉｃａｌ  ｃｈａｎｎｅｌ）を利用した情報送信サービス（ｉｎｆｏｒｍａｔｉｏｎ  ｔｒａｎｓｆｅｒ  ｓｅｒｖｉｃｅ）を提供し、第３の階層に位置する無線リソース制御（ｒａｄｉｏ  ｒｅｓｏｕｒｃｅ  ｃｏｎｔｒｏｌ；以下、ＲＲＣという）階層は、端末とネットワークとの間に無線リソースを制御する役割を遂行する。このために、ＲＲＣ階層は、端末とネットワークとの間にＲＲＣメッセージをお互いに交換する。
【００２４】
ダウンリンク送信チャネル（ｄｏｗｎｌｉｎｋ  ｔｒａｎｓｐｏｒｔ  ｃｈａｎｎｅｌ）の例として、システム情報の送信に使われるＢＣＨ（ｂｒｏａｄｃａｓｔ  ｃｈａｎｎｅｌ）、及びトラフィックと制御メッセージとの送信に使われるＤＬ−ＳＣＨ（ｄｏｗｎｌｉｎｋ−ｓｈａｒｅｄ  ｃｈａｎｎｅｌ）がある。ダウンリンクマルチキャスト／ブロードキャストのユーザトラフィックまたは制御メッセージは、ＤＬ−ＳＣＨまたは追加的なＤＬ−ＭＣＨ（ｄｏｗｎｌｉｎｋ  ｍｕｌｔｉｃａｓｔ  ｃｈａｎｎｅｌ）上に送信されることができる。ダウンリンク送信チャネルは、ダウンリンク物理チャネル（ｄｏｗｎｌｉｎｋ  ｐｈｙｓｉｃａｌ  ｃｈａｎｎｅｌ）にマッピングされる。ダウンリンク物理チャネルの例として、ＤＬ−ＳＣＨにマッピングされるＰＤＳＣＨ（ｐｈｙｓｉｃａｌ  ｄｏｗｎｌｉｎｋ  ｓｈａｒｅｄ  ｃｈａｎｎｅｌ）、及び制御信号の送信に使われるＰＤＣＣＨ（ｐｈｙｓｉｃａｌ  ｄｏｗｎｌｉｎｋ  ｃｏｎｔｒｏｌ  ｃｈａｎｎｅｌ）がある。
【００２５】
アップリンク送信チャネルの例として、初期制御メッセージの送信に使われるＲＡＣＨ（ｐｈｙｓｉｃａｌ  ｄｏｗｎｌｉｎｋ  ｃｏｎｔｒｏｌ  ｃｈａｎｎｅｌ）、及びユーザトラフィックと制御メッセージとの送信に使われるＵＬ−ＳＣＨ（ｕｐｌｉｎｋ−ｓｈａｒｅｄ  ｃｈａｎｎｅｌ）がある。アップリンク送信チャネルは、アップリンク物理チャネルにマッピングされる。アップリンク物理チャネルの例として、ＲＡＣＨにマッピングされるＰＲＡＣＨ（ｐｈｙｓｉｃａｌ  ｒａｎｄｏｍ  ａｃｃｅｓｓ  ｃｈａｎｎｅｌ）、ＵＬ−ＳＣＨにマッピングされるＰＵＳＣＨ（ｐｈｙｓｉｃａｌ  ｕｐｌｉｎｋ  ｓｈａｒｅｄ  ｃｈａｎｎｅｌ）、及びアップリンク制御信号の送信に使われるＰＵＣＣＨ（ｐｈｙｓｉｃａｌ  ｕｐｌｉｎｋ  ｃｏｎｔｒｏｌ  ｃｈａｎｎｅｌ）がある。ＰＵＳＣＨは、端末がアップリンクにデータを送信する時使用する。
【００２６】
ＰＤＣＣＨは、ＰＵＳＣＨまたはＰＤＳＣＨのための制御情報を送信する。アップリンクデータ送信のためのスケジューリング情報であるアップリンクグラント（ｕｐｌｉｎｋ  ｇｒａｎｔ）及びダウンリンクデータ送信のためのスケジューリング情報であるダウンリンクグラント（ｄｏｗｎｌｉｎｋ  ｇｒａｎｔ）は、ＰＤＣＣＨを介して送信される。以下、スケジューリング情報は、基地局が端末にダウンリンクデータを送信するための無線リソース割当または端末からアップリンクデータを受信するための無線リソース割当、ＭＣＳ（ｍｏｄｕｌａｔｉｏｎ  ａｎｄ  ｃｏｄｉｎｇ  ｓｃｈｅｍｅ）、ＭＩＭＯ情報などを含む。
【００２７】
図２は、無線フレーム構造の一例である。
【００２８】
図２を参照すれば、無線フレーム（ｒａｄｉｏ  ｆｒａｍｅ）は、１０個のサブフレーム（ｓｕｂｆｒａｍｅ）で構成され、一つのサブフレームは、２個のスロット（ｓｌｏｔ）を含むことができる。データ送信の基本単位は、サブフレーム単位になり、サブフレーム単位にダウンリンクまたはアップリンクのスケジューリングが行われる。一つのスロットは、時間領域で複数のＯＦＤＭシンボル、及び周波数領域で少なくとも一つの副搬送波を含むことができる。一つのスロットは、７または６ＯＦＤＭシンボルを含むことができる。
【００２９】
無線フレームの構造は例示に過ぎない。無線フレームに属するサブフレームの個数、サブフレームに属するスロットの個数、スロット内のＯＦＤＭシンボルの個数及び副搬送波の個数は、多様に変更されることができる。
【００３０】
図３は、無線フレーム構造の他の例である。これはＴＤＤ無線フレーム構造である。
【００３１】
図３を参照すれば、無線フレーム（ｒａｄｉｏ  ｆｒａｍｅ）は、二つのハーフフレーム（ｈａｌｆ−ｆｒａｍｅ）を含む。各ハーフフレームの構造は同一である。ハーフフレームは、５個のサブフレーム（ｓｕｂｆｒａｍｅ）、３個のフィールド（ｆｉｅｌｄ）ＤｗＰＴＳ（Ｄｏｗｎｌｉｎｋ  Ｐｉｌｏｔ  Ｔｉｍｅ  Ｓｌｏｔ：ＤｗＰＴＳ）、保護区間（Ｇｕａｒｄ  Ｐｅｒｉｏｄ）、及びＵｐＰＴＳ（Ｕｐｌｉｎｋ  Ｐｉｌｏｔ  Ｔｉｍｅ  Ｓｌｏｔ）を含む。ＤｗＰＴＳは、端末における初期セル探索、同期化またはチャネル推定に使われる。ＵｐＰＴＳは、基地局におけるチャネル推定と端末のアップリンク送信同期を合せることに使われる。保護区間は、アップリンクとダウンリンクとの間にダウンリンク信号の多重経路遅延によりアップリンクで発生する干渉を除去するための区間である。
【００３２】
図４は、ダウンリンクサブフレーム構造の一例である。
【００３３】
図４を参照すれば、ダウンリンクサブフレーム内の最初のスロットの前方の最大３ＯＦＤＭシンボルは、ＰＤＣＣＨが割り当てられる制御領域（ｃｏｎｔｒｏｌ  ｒｅｇｉｏｎ）になり、残りのＯＦＤＭシンボルは、ＰＤＳＣＨが割り当てられるデータ領域（ｄａｔａｒｅ  ｇｉｏｎ）になる。制御領域にはＰＤＣＣＨ以外にもＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＨＩＣＨ（ｐｈｙｓｉｃａｌ  ＨＡＲＱ  ｉｎｄｉｃａｔｏｒ  ｃｈａｎｎｅｌ）などの制御チャネルが割り当てられることができる。サブフレーム内の制御領域が含むＯＦＤＭシンボルの数は、ＰＣＦＩＣＨを介して分かる。端末は、ＰＤＣＣＨを介して送信される制御情報を介してＰＤＳＣＨ上に送信されるデータを読み込むことができる。ここで、制御領域が３ＯＦＤＭシンボルを含むことは例示に過ぎない。
【００３４】
制御領域は、複数のＣＣＥ（ｃｏｎｔｒｏｌ  ｃｈａｎｎｅｌ  ｅｌｅｍｅｎｔｓ）であるＣＣＥ集合で構成される。以下、ＣＣＥ集合は、一つのサブフレーム内で制御領域を構成する複数のＣＣＥの集合である。ＣＣＥは、複数のリソース要素グループ（ｒｅｓｏｕｒｃｅ  ｅｌｅｍｅｎｔ  ｇｒｏｕｐ）に対応される。例えば、ＣＣＥは、９リソース要素グループに対応されることができる。リソース要素グループは、リソース要素として制御チャネルをマッピングすることを定義するために使われる。
【００３５】
複数の端末に対する多重化された複数のＰＤＣＣＨが制御領域内で送信されることができる。ＰＤＣＣＨは、スケジューリング割当などのような制御情報（ｃｏｎｔｒｏｌ  ｉｎｆｏｒｍａｔｉｏｎ）を運ぶ。ＰＤＣＣＨは、一つのＣＣＥベースまたはいくつかの連続的なＣＣＥ（ｃｏｎｔｒｏｌ  ｃｈａｎｎｅｌ  ｅｌｅｍｅｎｔｓ）の集団（ａｇｇｒｅｇａｔｉｏｎ）上に送信される。ＰＤＣＣＨのフォーマットと可用なビット数はＣＣＥ集合内のＣＣＥ個数に基づいて決定される。以下、ＰＤＣＣＨ送信のために使われるＣＣＥの数（Ｎｕｍｂｅｒ  ｏｆ  ＣＣＥ）をＣＣＥ集団レベル（ａｇｇｒｅｇａｔｉｏｎ  ｌｅｖｅｌ）という。ＣＣＥ集団レベルの大きさは、隣接するＣＣＥの数により定義される。例えば、ＣＣＥ集団レベルは｛１，２，４，８｝の元素である。
【００３６】
表１は、ＣＣＥ集団レベルにともなうＰＤＣＣＨのフォーマット、可用なビット数を示す。
【００３７】
【表１】
0005721443.tif 000002
【００３８】
端末毎にＣＣＥ集団レベルは異なることができる。例えば、ＣＣＥ集団レベル（Ｌ）は、第２、第４及び第６の端末（ＵＥ２、ＵＥ４、ＵＥ６）に対して１であり、第３及び第５の端末（ＵＥ３、ＵＥ５）に対して２であり、第１及び第７の端末（ＵＥ１、ＵＥ７）に対して４である。
【００３９】
ＰＤＣＣＨ上の制御情報をＤＣＩ（ｄｏｗｎｌｉｎｋ  ｃｏｎｔｒｏｌ  ｉｎｆｏｒｍａｔｉｏｎ）という。ＤＣＩは、アップリンクスケジューリング情報、ダウンリンクスケジューリング情報、アップリンクパワー制御命令、ページング制御命令、及びＲＡＣＨ応答のための指示子などを含む。ＤＣＩフォーマット０は、ＰＵＳＣＨスケジューリングに使われ、ＤＣＩフォーマット１は、ＰＤＳＣＨコードワードスケジューリングに使われ、ＤＣＩフォーマット１Ａは、簡単なＰＤＳＣＨコードワードスケジューリングに使われ、ＤＣＩフォーマット１Ｃは、簡単なＤＬ−ＳＣＨスケジューリングに使われ、ＤＣＩフォーマット２は、閉ループ空間多重化モード（ｃｌｏｓｅｄ−ｌｏｏｐ  ｓｐａｔｉａｌ  ｍｕｌｔｉｐｌｅｘｉｎｇ  ｍｏｄｅ）でＰＤＳＣＨコードワードスケジューリングに使われ、ＤＣＩフォーマット２Ａは、開ループ空間多重化モードでＰＤＳＣＨコードワードスケジューリングに使われ、ＤＣＩフォーマット３及び３Ａは、アップリンクチャネルの送信パワー制御に使われる。
【００４０】
図５は、アップリンクサブフレームの構造の一例である。
【００４１】
図５を参照すれば、アップリンクサブフレームは、制御領域（Ｃｏｎｔｒｏｌ  Ｒｅｇｉｏｎ）とデータ領域（Ｄａｔａ  Ｒｅｇｉｏｎ）とに分けることができる。制御領域はＰＵＣＣＨを含み、データ領域はＰＵＳＣＨを含む。ＳＣ−ＦＤＭＡが適用されてシングル搬送波特性を満たすために、端末は、ＰＵＣＣＨ及びＰＵＳＣＨを同時に送信しなくてもよい。
【００４２】
一つの端末に対するＰＵＣＣＨは、サブフレームでＲＢ対（ｒｅｓｏｕｒｃｅ  ｂｌｏｃｋ  ｐａｉｒ）に割り当てられ、ＲＢ対に属するＲＢは、二つのスロットの各々で異なる副搬送波を占める。これをＰＵＣＣＨに割り当てられるＲＢ対がスロット境界（ｓｌｏｔ  ｂｏｕｎｄａｒｙ）で周波数ホッピング（ｆｒｅｑｕｅｎｃｙ  ｈｏｐｐｉｎｇ）されるという。
【００４３】
ＰＵＣＣＨは、多重フォーマットをサポートできる。即ち、変調方式（ｍｏｄｕｌａｔｉｏｎ  ｓｃｈｅｍｅ）によってサブフレーム当たり異なるビット数を有するアップリンク制御情報を送信できる。
【００４４】
次の表は、３ＧＰＰ  ＴＳ  ３６．２１１  Ｖ８．２．０によってサポートされるＰＵＣＣＨフォーマット、変調方式、及びビット数を示す。
【００４５】
【表２】
0005721443.tif 000003
【００４６】
ＰＵＣＣＨフォーマット１は、ＳＲ（ｓｃｈｅｄｕｌｉｎｇ  ｒｅｑｕｅｓｔ）の送信に使われ、ＰＵＣＣＨフォーマット１ａ／１ｂは、ＡＣＫ／ＮＡＣＫ信号の送信に使われ、ＰＵＣＣＨフォーマット２は、ＣＱＩ（ｃｈａｎｎｅｌ  ｑｕａｌｉｔｙ  ｉｎｆｏｒｍａｔｉｏｎ）の送信に使われ、ＰＵＣＣＨフォーマット２ａ／２ｂは、ＣＱＩ及びＡＣＫ／ＮＡＣＫ信号の送信に使われる。
【００４７】
任意のサブフレームでＡＣＫ／ＮＡＣＫ信号が単独に送信される場合にはＰＵＣＣＨフォーマット１ａ／１ｂを使用し、ＳＲが単独に送信される場合にはＰＵＣＣＨフォーマット１を使用する。もし、ＡＣＫ／ＮＡＣＫ信号とＳＲとが同時に送信されるためには、ＳＲ送信のために割り当てられたＳＲリソースがＡＣＫ／ＮＡＣＫ信号及び肯定的なＳＲの送信に使われ、ＡＣＫ／ＮＡＣＫ信号に割り当てられたＡＣＫ／ＮＡＣＫリソースは、ＡＣＫ／ＮＡＣＫ信号及び否定的なＳＲの送信に使われる。
【００４８】
表３は、ＴＤＤシステムにおける無線フレームのダウンリンク／アップリンク構成（ｃｏｎｆｉｇｕｒａｔｉｏｎ）の一例を示す。無線フレームの構成は、全てのサブフレームがアップリンク及びダウンリンクに対してどのような規則により割り当て（または予約）られるかを示す規則である。
【００４９】
【表３】
0005721443.tif 000004
【００５０】
表３において、‘Ｄ’は、サブフレームがダウンリンク送信のために使われるものであることを示し、‘Ｕ’は、サブフレームがアップリンク送信のために使われるものであることを示す。‘Ｓ’は、サブフレームが特別な用途として使われるものであることを示し、フレーム同期を合せたり、またはダウンリンク送信のために使われるものであることを示す。以下、ダウンリンク送信のために使われるサブフレームを簡単にダウンリンクサブフレームといい、アップリンク送信のために使われるサブフレームを簡単にアップリンクサブフレームという。各構成ごとに一つの無線フレーム内のダウンリンクサブフレームとアップリンクサブフレームの配置（ｐｏｓｉｔｉｏｎ）及び個数が異なる。
【００５１】
ダウンリンクからアップリンクへ変更される時点またはアップリンクからダウンリンクへ切り替えられる時点を切り替え時点（ｓｗｉｔｃｈｉｎｇ  ｐｏｉｎｔ）という。切り替え時点の周期性（Ｓｗｉｔｃｈ−ｐｏｉｎｔ  ｐｅｒｉｏｄｉｃｉｔｙ）は、アップリンクサブフレームとダウンリンクサブフレームとが切り替えられる様相が同様に繰り返される周期を意味し、５ｍｓまたは１０ｍｓである。例えば、構成０から見れば、０番目から４番目のサブフレームまでＤ−＞Ｓ−＞Ｕ−＞Ｕ−＞Ｕに切り替えられ、５番目から９番目のサブフレームまで以前と同一にＤ−＞Ｓ−＞Ｕ−＞Ｕ−＞Ｕに切り替えられる。一つのサブフレームが１ｍｓであるため、切り替え時点の周期性は、５ｍｓである。即ち、切り替え時点の周期性は、一つの無線フレーム長さ（１０ｍｓ）より少なく、無線フレーム内で切り替えられる様相が１回繰り返される。
【００５２】
あらゆる構成において、０番目、５番目のサブフレーム、及びＤｗＰＴＳは、ダウンリンク送信のために使われる。あらゆる設定の１番目のサブフレーム及び設定０、１、２及び６の６番目のサブフレームは、ＤｗＰＴＳ、保護区間、及びＵｐＰＴＳで構成される。各フィールドの時間長さは設定にともなって異なる。前記１番目及び６番目のサブフレームを除いた残りの８個のサブフレームは２個のスロットで構成される。
【００５３】
切り替え時点の周期が毎５ｍｓである場合、ＵｐＰＴＳ、及び２番目及び７番目のサブフレームは、アップリンク送信に予約される。一方、切り替え時点の周期が毎１０ｍｓである場合、ＵｐＰＴＳ及び２番目のサブフレームは、アップリンク送信に予約され、ＤｗＰＴＳ、７番目及び９番目のサブフレームは、ダウンリンク送信に予約される。
【００５４】
前記表３の構成は、基地局と端末の両方が知っているシステム情報として知らせることができる。基地局は、無線フレームの構成情報が変わる時ごとに設定情報のインデックスのみを送信することによって無線フレームのアップリンク−ダウンリンク割当状態の変更を端末に知らせることができる。前記構成情報は、一種のダウンリンク制御情報であって、他のスケジューリング情報と同様にダウンリンク制御チャネルであるＰＤＣＣＨ（ｐｈｙｓｉｃａｌ  ｄｏｗｎｌｉｎｋ  ｃｏｎｔｒｏｌ  ｃＨａｎｎｅｌ）を介して送信されることができる。または、前記構成情報は、放送情報であって、ブロードキャストチャネル（ｂｒｏａｄｃａｓｔ  ｃｈａｎｎｅｌ）を介してセル内のあらゆる端末に共通に送信される制御情報であってもよい。または、前記構成情報は、システム情報に含まれた情報であってもよい。ＴＤＤシステムにおける無線フレームに含まれるハーフフレームの個数、ハーフフレームに含まれるサブフレームの個数及びダウンリンクサブフレームとアップリンクサブフレームとの組合せは例示に過ぎない。
【００５５】
ＨＡＲＱ動作において、端末は、ダウンリンクサブフレームでダウンリンクデータを受信し、アップリンクサブフレームでフィードバックへＡＣＫ／ＮＡＣＫ信号を送信する。これは無線フレームにアップリンクサブフレームよりダウンリンクサブフレームが多い時問題になるおそれがある。前記表３で、‘Ｓ’は、ダウンリンクサブフレームである。構成２で、無線フレームは、ダウンリンクサブフレーム対アップリンクサブフレームの比率は４：１である。この場合、端末は、４個のダウンリンクサブフレームを介したデータに対し、ＨＡＲＱ動作のために、一つのアップリンクサブフレームを介して複数のＡＣＫ／ＮＡＣＫ信号をフィードバックする。アップリンクサブフレームよりダウンリンクサブフレームが多い時、ＡＣＫ／ＮＡＣＫ信号の送信のための無線リソースが足りない場合がある。
【００５６】
アップリンクＡＣＫ／ＮＡＣＫフィードバックのためのダウンリンクサブフレームとアップリンクサブフレームの連関性（ｌｉｎｋａｇｅ）が表３のダウンリンク／アップリンク構成の各々に定義される必要がある。アップリンクサブフレームは、ダウンリンク／アップリンク構成に従属して多重ダウンリンクサブフレームのためのＡＣＫ／ＮＡＣＫ信号を運ぶ。ダウンリンクサブフレームとアップリンクサブフレームとの間の予め定義された関係が超過的なアップリンクＡＣＫ／ＮＡＣＫリソース予約を防止するために、以下に記述される。予約されたＡＣＫ／ＮＡＣＫリソースの量は、ＡＣＫ／ＮＡＣＫリソースの個数が対応されるダウンリンクサブフレームでＣＣＥの個数より小さくなるように半静的に設定されることができる。
【００５７】
表３の構成で、半静的（Ｓｅｍｉ−ｓｔａｔｉｃ）ＤＬ／ＵＬ連関性（ｌｉｎｋａｇｅ）が表４に示している。
【００５８】
【表４】
0005721443.tif 000005
【００５９】
表４で、スペシャルダウンリンクサブフレーム（表３で‘Ｓ’と表示）はダウンリンクサブフレームとして使われるため、混乱を防ぐために、‘Ｄ’で表示される。ダウンリンクサブフレームＤ＃ｎに対応するＡＣＫ／ＮＡＣＫ信号は、アップリンクサブフレームＵ＃ｎで送信される。例えば、ｉ番目の無線フレームのダウンリンクサブフレームＤ１は、ｉ＋１番目の無線フレームのアップリンクサブフレームＵ１に対応される。ＤやＵのうち＃ｎがないサブフレームがあるが、これらもＡＣＫ／ＮＡＣＫ信号フィードバックのために他のサブフレームとリンクされることができる。
【００６０】
大部分の構成において、全部または一部のアップリンクサブフレームは、複数のダウンリンクサブフレームとリンクされる。即ち、一つのアップリンクサブフレームは、少なくとも一つのダウンリンクサブフレームと関連付けられている。構成０において、４：１のダウンリンクサブフレーム対アップリンクサブフレームの対応があり、２個のアップリンクサブフレームは、他のダウンリンクサブフレームとリンクされない。構成１において、２：１のダウンリンクサブフレーム対アップリンクサブフレームの対応、及び２個の１：１のダウンリンクサブフレーム対アップリンクサブフレームの対応がある。構成２において、２個の４：１のダウンリンクサブフレーム対アップリンクサブフレームの対応がある。構成３において、２個の２：１のダウンリンクサブフレーム対アップリンクサブフレームの対応、及び一つの３：１のダウンリンクサブフレーム対アップリンクサブフレームの対応がある。その他の構成において、ダウンリンクサブフレームとアップリンクサブフレームとの間の対応関係を容易に分かる。
【００６１】
以下、ＡＣＫ／ＮＡＣＫ信号の送信に使われるアップリンク無線リソースをＡＣＫ／ＮＡＣＫリソースという。ＡＣＫ／ＮＡＣＫリソースは、リソースブロック、循環シフト（ｃｙｃｌｉｃ  ｓｈｉｆｔ）及び直交カバー（ｏｒｔｈｏｇｏｎａｌ  ｃｏｖｅｒ）の組合せである。ＡＣＫ／ＮＡＣＫリソースは、アップリンクグラント（ｕｐｌｉｎｋ  ｇｒａｎｔ）のようなアップリンクスケジューリング情報によって割り当てられることができる。少なくとも一つのＡＣＫ／ＮＡＣＫリソースを含む副集合（ｓｕｂｓｅｔ）をＡＣＫ／ＮＡＣＫリソース副集合という。アップリンクサブフレームは、複数のＡＣＫ／ＮＡＣＫリソース副集合を含むことができる。ＡＣＫ／ＮＡＣＫリソース副集合の各々において、ＡＣＫ／ＮＡＣＫリソースの個数は多様である。
【００６２】
構成０、１及び３の各々において、ＡＣＫ／ＮＡＣＫフィードバックのために２個の他のダウンリンクサブフレーム対アップリンクサブフレームの対応が一つの無線フレームに存在する。この場合、ＡＣＫ／ＮＡＣＫリソース副集合内のＡＣＫ／ＮＡＣＫリソースの量は、あらゆるアップリンクサブフレームで同量のＡＣＫ／ＮＡＣＫリソースを有するようにするためにアップリンクサブフレームによって調節されることができる。または、あらゆるＡＣＫ／ＮＡＣＫリソース副集合内のＡＣＫ／ＮＡＣＫリソースの量は、アップリンクサブフレームによってＡＣＫ／ＮＡＣＫリソースを異にして類似したり、同じにしたりすることができる。
【００６３】
無線フレームにおける各構成にともなうＡＣＫ／ＮＡＣＫ信号フィードバックのためのダウンリンクサブフレームとアップリンクサブフレームとの間の対応は、前述の通りである。以下、アップリンクサブフレームにおけるＡＣＫ／ＮＡＣＫリソース副集合を構成する方法を記述する。この方法は、ＨＡＲＱ動作であらゆるダウンリンクデータに対して十分のＡＣＫ／ＮＡＣＫリソースが提供され難い時、ＡＣＫ／ＮＡＣＫリソースを效率的にグルーピングしたり、分けたりすることである。この方法は、ＴＤＤシステムだけでなく、ＦＤＤシステムにも適用されることができる。
【００６４】
図６は、本発明の一実施例に係るＡＣＫ／ＮＡＣＫリソースグルーピング方法を示す。
【００６５】
図６を参照すれば、ＨＡＲＱ動作のために無線フレーム構成において、３：１のダウンリンクサブフレーム対アップリンクサブフレームの対応が使われる。３個のダウンリンクサブフレームは、ｉ、（ｉ＋１）、（ｉ＋２）に各々インデックスされ、アップリンクサブフレームは、ｊ（ｊ＞ｉ＋２）にインデックスされる。これはｊ番目のアップリンクサブフレームは、３個のダウンリンクサブフレームに対応するＡＣＫ／ＮＡＣＫ信号を運ぶものを意味する。ＡＣＫ／ＮＡＣＫリソースは、３個のＡＣＫ／ＮＡＣＫリソース副集合に分けられ、各副集合は、３個のダウンリンクサブフレームのうち一つに対応するＡＣＫ／ＮＡＣＫ信号に使われる。
【００６６】
これを一般化すれば、アップリンクサブフレームがＡＣＫ／ＮＡＣＫフィードバックのためにＬ個のダウンリンクサブフレームとリンクされれば、アップリンクサブフレームでＡＣＫ／ＮＡＣＫリソースは、Ｌ個の副集合に分けられる。アップリンクサブフレームでＡＣＫ／ＮＡＣＫリソース副集合の個数は、アップリンクサブフレームとリンクされたダウンリンクサブフレームの個数によって決定される。
【００６７】
各副集合は、同じ、或いは異なる量のＡＣＫ／ＮＡＣＫリソースを含む。各副集合が同じ個数のＡＣＫ／ＮＡＣＫリソースＭを含むと仮定する。アップリンクサブフレームは、全部でＬ×Ｍ個のＡＣＫ／ＮＡＣＫリソースを含む。ＡＣＫ／ＮＡＣＫリソース副集合１、２、．．．、Ｌは、０からＭ−１個のＡＣＫ／ＮＡＣＫリソース、Ｍから２Ｍ−１個のＡＣＫ／ＮＡＣＫリソース、．．．、（Ｌ−１）×Ｍから（Ｌ×Ｍ）−１個のＡＣＫ／ＮＡＣＫリソースを各々有する。
【００６８】
各副集合内のＭ個のＡＣＫ／ＮＡＣＫリソースは、Ｌ個のダウンリンクサブフレームの一つのＮ個のＣＣＥにマッピングされる。ｉ番目のサブフレームのＣＣＥは、０からＭ−１個のＡＣＫ／ＮＡＣＫリソースにマッピングされる。ｉ＋１番目のサブフレームのＣＣＥは、Ｍから２Ｍ−１個のＡＣＫ／ＮＡＣＫリソースにマッピングされる。ｉ＋２番目のサブフレームのＣＣＥは、２Ｍから３Ｍ−１個のＡＣＫ／ＮＡＣＫリソースにマッピングされる。各ダウンリンクサブフレームのＣＣＥの個数は、同じであってもよく、異なってもよい。Ｍ値は、Ｎより小さく、或いは同じに設定されることができる。ＣＣＥの実際個数は、ダウンリンクサブフレームごとに異なることができるため、Ｎは、ダウンリンクサブフレームにおけるＣＣＥの最大個数値である。
【００６９】
要約すれば、アップリンクサブフレームが多重ダウンリンクサブフレームのためのＡＣＫ／ＮＡＣＫ信号を運ぶ時、ＡＣＫ／ＮＡＣＫリソースは、各副集合のＡＣＫ／ＮＡＣＫリソースがダウンリンクサブフレームにリンクされるように複数の副集合に分けられる。
【００７０】
ＡＣＫ／ＮＡＣＫリソースを複数の副集合に分ける方法は、次の数式の通りである。
【００７１】
【数１】
0005721443.tif 000006
【００７２】
ここで、ＣＣＥグループは、一つのサブフレームで複数のＣＣＥで構成され、ＮＣＣＥ（ｊ）は、ｊ番目のＣＣＥグループに対する（最大）ＣＣＥの個数である。ＮＣＣＥ（ｊ）は、あらゆるサブフレームに対して（最大）ＣＣＥの個数が同一に設定されれば、ＮＣＣＥに換えることができる。Ｎｇは、ＰＵＣＣＨでＣＣＥグループの個数である。あらゆるサブフレームに対して（最大）ＣＣＥの個数が同一に設定されれば、ＮＧＣＣＥはＮｇ×ＮＣＣＥと同じある。
【００７３】
以下、ＡＣＫ／ＮＡＣＫリソースとＣＣＥとの間のマッピング方法が記述される。副集合内でＡＣＫ／ＮＡＣＫリソースは、他のＣＣＥに再マッピングされ、副集合内のＡＣＫ／ＮＡＣＫリソースの個数がダウンリンクサブフレーム内ＣＣＥの個数より小さくなるようにする。結果的に、予約されたＡＣＫ／ＮＡＣＫリソースの量は半静的に設定される。この設定及び再マッピング方式は、ＦＤＤモードにも適用されることができる。
【００７４】
図７は、本発明の一実施例に係るＣＣＥのＡＣＫ／ＮＡＣＫリソースへのマッピング方法を示す。副集合内のＭ個のＡＣＫ／ＮＡＣＫリソースは、０からＭ−１までインデックスが付けられ、ダウンリンクサブフレーム内のＮ個のＣＣＥは、０からＮ−１までインデックスが付けられる。ＣＣＥインデックスの順序は、各ＰＵＣＣＨリソースブロック内で仮想的にインターリービング（ｉｎｔｅｒｌｅａｖｅｄ）されることができる。
【００７５】
図７を参照すれば、ＣＣＥインデックス‘ａ’から‘ｇ’まで７個のＣＣＥ、及びインデックス０から４まで５個のＡＣＫ／ＮＡＣＫリソースがＰＤＣＣＨに対応するＡＣＫ／ＮＡＣＫ信号を送信することに使われる。Ｎ＞Ｍであるため、同じＡＣＫ／ＮＡＣＫリソースがＣＣＥに再マッピングされる。即ち、複数のＣＣＥがＡＣＫ／ＮＡＣＫリソースにマッピングされる。‘ｂ’及び‘ｃ’のＣＣＥは、ＡＣＫ／ＮＡＣＫリソース０にマッピングされ、‘ｄ’及び‘ｅ’のＣＣＥは、ＡＣＫ／ＮＡＣＫリソース１にマッピングされる。しかし、‘ａ’、‘ｆ’及び‘ｇ’のＣＣＥは、ＡＣＫ／ＮＡＣＫリソース３、２及び４に各々マッピングされる。
【００７６】
繰り返されたＣＣＥ対ＡＣＫ／ＮＡＣＫマッピングは、基地局が同じＡＣＫ／ＮＡＣＫリソースがダウンリンクサブフレームで多重ＰＤＳＣＨ送信と関連付けないようにＰＤＣＣＨスケジューリングを制限するようにすることができる。しかし、要求されるアップリンクＡＣＫ／ＮＡＣＫリソースの量を減少させる。一般的に、ＡＣＫ／ＮＡＣＫインデックスが多重ＣＣＥインデックスにマッピングされることはＬ＝１の場合も可能である。一つのアップリンクサブフレームが一つのダウンリンクサブフレームに対応されることである。適用される同じマッピング方式を禁止する理由はないためである。このマッピング方式は、効率的なＰＵＣＣＨリソース活用、及びＦＤＤとＴＤＤの共通性のためにＦＤＤモードに適用されることができる。
【００７７】
図８は、本発明の他の実施例に係るＣＣＥのＡＣＫ／ＮＡＣＫリソースへのマッピング方法を示す。拡張ＣＰ、ＡＣＫ／ＮＡＣＫ信号のために３個のリソースブロック、リソースブロック当たり１２個のＡＣＫ／ＮＡＣＫリソース、ダウンリンクサブフレーム当たり１８個のＣＣＥを仮定する。
【００７８】
図８を参照すれば、サブフレームｘにおけるＣＣＥは、０から１７までインデックスが付けられ、サブフレームｙにおけるＣＣＥは、０から１７までインデックスが付けられる。端末がサブフレームｘ及びｙにおけるＣＣＥを受信する時、端末は、サブフレームｙにおけるＣＣＥのインデックスを変換する。結果的に、サブフレームｙにおけるＣＣＥのインデックスは１８から３５に変換される。サブフレームｘにおけるＣＣＥのインデックスはそのまま維持される。サブフレームｘ及びｙにおける全体ＣＣＥは、０から３５までインデックスが付けられる。このような方式により、多重サブフレームのＣＣＥインデックスは連続的である。そして、変換されたＣＣＥインデックスは、ＡＣＫ／ＮＡＣＫインデックスに直接的にまたはリソースブロック当たり混ざりながらマッピングされることができる。
【００７９】
副集合内のＡＣＫ／ＮＡＣＫリソースの個数が前記副集合に対応するダウンリンクサブフレーム内のＣＣＥの個数より小さい時、一部ＡＣＫ／ＮＡＣＫリソースは、他のＡＣＫ／ＮＡＣＫリソースに再マッピングされる必要がある。この場合、前記副集合内のＡＣＫ／ＮＡＣＫリソースは対応するダウンリンクサブフレーム内のＣＣＥに再マッピングされる。この再マッピングは、ダウンリンクサブフレームにおいて、ＡＣＫ／ＮＡＣＫリソース副集合にマッピングされるある範囲のＣＣＥインデックスを変換することによって行われることができる。従って、ダウンリンクサブフレームにおける他のＣＣＥには同様に変換したＣＣＥインデックスが割り当てられることができる。
【００８０】
図９は、本発明の他の実施例に係るＣＣＥのＡＣＫ／ＮＡＣＫリソースへのマッピング方法を示す。拡張ＣＰ、ＡＣＫ／ＮＡＣＫ信号のために、３個のリソースブロック、リソースブロック当たり１２個のＡＣＫ／ＮＡＣＫリソース、ダウンリンクサブフレーム当たり３１個のＣＣＥを仮定する。
【００８１】
図９を参照すれば、サブフレームｘ及びｙは、サブフレームｘ及びｙに対するＡＣＫ／ＮＡＣＫリソースを有するフィードバックサブフレームにマッピングされる。フィードバックサブフレームは、前記サブフレームｘ及びｙに対するＡＣＫ／ＮＡＣＫ信号を送信することに使われる。前記フィードバックサブフレームは、２個のサブフレームとリンクされているため、前記フィードバックサブフレームにおけるＡＣＫ／ＮＡＣＫリソースは２個の副集合に分けられる。
【００８２】
０から１７までのインデックスを有するＡＣＫ／ＮＡＣＫリソースを含む副集合１は、サブフレームｘにマッピングされる。１８から３５までのインデックスを有するＡＣＫ／ＮＡＣＫリソースを含む副集合２は、サブフレームｙにマッピングされる。
【００８３】
各サブフレームにおけるＣＣＥの個数は、対応する副集合に含まれるＡＣＫ／ＮＡＣＫリソースの個数より多い。副集合１内の一部ＡＣＫ／ＮＡＣＫリソースは、サブフレームｘにおいて、１８から３０までインデックスを有するＣＣＥに再マッピングされる。副集合２内の一部ＡＣＫ／ＮＡＣＫリソースは、サブフレームｙにおいて、０から１２までインデックスを有するＣＣＥに再マッピングされる。
【００８４】
ＡＣＫ／ＮＡＣＫリソースをＣＣＥに再マッピングする前に、余分の（ｅｘｔｒａ）ＣＣＥのインデックスが他のインデックスに変換されることができる。再マッピングのために変換したインデックスを有するＣＣＥは余分のＣＣＥといい、変換されないインデックスを有するＣＣＥは正規（ｒｅｇｕｌａｒ）ＣＣＥという。例えば、サブフレームｘにおいて、インデックス１８から３０を有する余分のＣＣＥのインデックスは既存に存在する０から１２に変換される。サブフレームｙにおいて、インデックス０から１７を有する余分のＣＣＥのインデックスは１８から３５に変換される。
【００８５】
０から１２に変換されたインデックスを有する余分のＣＣＥのインデックスは、サブフレームｘにおいて正規ＣＣＥのインデックスと重複する。１８から３０に変換されたインデックスを有する余分のＣＣＥのインデックスは、サブフレームｙにおいて正規ＣＣＥのインデックスと重複する。
【００８６】
副集合１において、０から１２までインデックスを有するＡＣＫ／ＮＡＣＫリソースは、変換されたインデックスを有する余分のＣＣＥ、及び０から１２までのインデックスを有する正規ＣＣＥにマッピングされる。即ち、再マッピングが発生する。副集合１において、１３から１７までインデックスを有するＡＣＫ／ＮＡＣＫリソースは、１３から１７までのインデックスを有する正規ＣＣＥにマッピングされる。
【００８７】
同じ再マッピング過程がサブフレームｙ及び副集合２に適用される。
【００８８】
図１０は、本発明の一実施例に係るＡＣＫ／ＮＡＣＫ信号送信を示すフローチャートである。
【００８９】
図１０を参照すれば、ダウンリンク割当が受信される（Ｓ１００）。ダウンリンク割り当ては、ダウンリンクスケジューリング情報またはダウンリンクグラントともいう。ダウンリンク割り当ては、ダウンリンクデータを含む第１のサブフレームで受信される。前記ダウンリンク割り当ては、ＣＣＥに基づいて送信される。ＣＣＥは、第１のサブフレームの制御領域に対して論理的にインデックスが付けられたリソース単位（ｒｅｓｏｕｒｃｅ  ｕｎｉｔ）である。ダウンリンク割り当ては、ＰＤＣＣＨであるダウンリンク制御チャネル上に送信される。第１のサブフレームは。ＴＤＤシステムにおけるダウンリンクサブフレームまたは複数のダウンリンクサブフレームである。
【００９０】
前記第１のサブフレームにおいて、ダウンリンク共有チャネル（ｄｏｗｎｌｉｎｋ  ｓｈａｒｅｄ  ｃｈａｎｎｅｌ）上にダウンリンクデータが受信される（Ｓ１１０）。前記ダウンリンク共有チャネルは、前記ダウンリンク割り当てによって割り当てられる。前記ダウンリンク共有チャネルはＰＤＳＣＨである。
【００９１】
ＡＣＫ／ＮＡＣＫ信号が生成される（Ｓ１２０）。ＡＣＫ／ＮＡＣＫ信号は、前記ダウンリンクデータの成功的または非成功的受信を示す。
【００９２】
第２のサブフレームで副集合（ｓｕｂｓｅｔ）のアップリンクリソース（これはダウンリンク割当を運ぶＣＣＥにマッピング）を利用して前記ＡＣＫ／ＮＡＣＫ信号または代表ＡＣＫ／ＮＡＣＫ信号が送信される（Ｓ１３０）。前記副集合は、前記第１のサブフレームにマッピングされ、前記アップリンクリソースのうち一つは、前記第１のサブフレーム内の複数のＣＣＥにマッピングされる。前記第２のサブフレームは、ＴＤＤシステムにおけるアップリンクサブフレームであってもよい。
【００９３】
前述したあらゆる機能は、前記機能を遂行するようにコーディングされたソフトウェアやプログラムコードなどにともなうマイクロプロセッサ、制御器、マイクロ制御器、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようなプロセッサにより実行されることができる。前記コードの設計、開発及び具現は、本発明の説明に基づいて当業者に自明である。
【００９４】
以上、本発明に対して実施例を参照して説明したが、該当技術分野の通常の知識を有する者は、本発明の技術的思想及び領域から外れない範囲内で本発明を多様に修正及び変更させて実施可能であることを理解することができる。従って、前述した実施例に限定されることではなく、本発明は、特許請求の範囲内のあらゆる実施例を含む。
【図１】
0005721443.tif 000007
【図２】
0005721443.tif 000008
【図３】
0005721443.tif 000009
【図４】
0005721443.tif 000010
【図５】
0005721443.tif 000011
【図６】
0005721443.tif 000012
【図７】
0005721443.tif 000013
【図８】
0005721443.tif 000014
【図９】
0005721443.tif 000015
【図１０】
0005721443.tif 000016